(57)【要約】【課題】シール剤注入作業が容易で組立作業性に優れ、且つ防水性を兼ね備えた発光装置を提供する。【解決手段】ＬＥＤ５並びに電子部品２２がプリント配線基板２４に実装されてなる発光部４と、電力を供給するためのリード線６と、発光部４とリード線６の一部を収納するケースを備え、前記ケースは一面が開口する箱型に形成された第１のケース１と第２のケース２を互いの開口面同士を突き合わせる形で結合され、且つ一面よりリード線６が導出されてなり、第１のケース１は、ＬＥＤ５からの光を透過する光透過部と、プリント配線基板２４の周縁を支持する基板受部７を備え、第２のケース２は、発光部４と第２のケース２に囲まれる空間を封止するためのシール剤が注入される開口部２３を備え、開口部２３は第２のケース２のリード線６が導出される面以外の面に設けられる。【選択図】図２
2009224412.tif 000002
【特許請求の範囲】
【請求項１】
発光素子並びに該発光素子を点灯させる電子部品がプリント配線基板に実装されてな
る発光部と、発光部に電力を供給するためのリード線と、発光部と前記リード線の一部
を収納するケースとを備え、前記ケースは一面が開口する箱型に形成された第１及び第
２のケースを互いの開口面同士を突き合わせる形で結合され、且つ一面より前記リード
線が導出されてなり、第１のケースは、発光素子からの光を透過する光透過部と、プリ
ント配線基板の周縁を支持する第１の支持部を備え、第２のケースは、第１のケースと
結合させたときに、第１の支持部と相俟ってプリント配線基板の周縁を支持する第２の
支持部と、発光部と第２のケースに囲まれる空間を封止するためのシール剤が注入され
る開口部とを備え、前記開口部は第２のケースにおける前記リード線が導出される面以
外の面に設けられることを特徴とする発光装置。
【請求項２】
第１の支持部または第２の支持部の少なくともいずれか一方は、プリント配線基板の
周縁に全周に亘って載置して支持する段部として形成されていることを特徴とする請求
項１記載の発光装置。
【請求項３】
第１のケースは光透過性材料から形成されていることを特徴とする請求項１または２
記載の発光装置。
【発明の詳細な説明】
【技術分野】
【０００１】
本発明は、防水性を備えた発光装置に関するものである。
【背景技術】
【０００２】
従来から、発光部全体及びリード線の一部を樹脂材料によってモールドしてなる防水
構造を備える発光装置や（特許文献１参照）、発光部を透光性材料で柱状に形成した光
学レンズと合成樹脂ボディで固定した発光装置がある（特許文献２参照）。
【０００３】
また、他の従来例として、図８に示すようなものがある。この従来例は、ＬＥＤ６０
からなる発光素子並びにＬＥＤ６０を点灯させる電子部品６１がプリント配線基板６２
に実装されてなる発光部６３と、発光部６３に電力を供給するためのリード線６４と、
発光部６３とリード線６４の一部を収納するケース６５とを備え、ケース６５は一面に
開口部６７を備える有底角筒状に形成され、内壁にはプリント配線基板６２の端部７０
がスライド嵌合する嵌合溝６８が奥行方向に設けられている。また、ケース６５の開口
部６７を閉塞するゴム栓６６を備えている。この従来例は、ケース６５の開口部６７か
ら、プリント配線基板６２の端部７０をケース６５の嵌合溝６８にスライド嵌合して、
リード線６４を含む発光部６３をケース６５内に収納し、ゴム栓６６を挿入して組み立
てられ、ケース６５の開口部６７をシール剤で封止することで防水性を持たせてある。
尚、シール部６９は開口部６７に注入されたシール剤が固化した状態の部材である。
【特許文献１】特開２００７−０４９０３８号公報
【特許文献２】特開２００８−０３３２７０号公報
【発明の開示】
【発明が解決しようとする課題】
【０００４】
しかしながら、図８に示した従来例では、ケース６５の開口部６７にゴム栓６６を挿
入する際、ゴム栓６６と開口部６７との接面の空気を逃がす隙間が小さいため、大きな
荷重と時間を要するという問題がある。またシール剤を注入する際、リード線６４が導
出される開口部６７より注入を行う構造のため、シール剤の注入可能な面積が小さいこ
とから、作業性が悪いという問題がある。
【０００５】
本発明は上記事由に鑑みて為されたものであり、その目的は、シール剤注入作業が容
易で組立作業性に優れ、且つ防水性を兼ね備えた発光装置を提供することにある。
【課題を解決するための手段】
【０００６】
請求項１の発明は、上記目的を達成するために、発光素子並びに該発光素子を点灯さ
せる電子部品がプリント配線基板に実装されてなる発光部と、発光部に電力を供給する
ためのリード線と、発光部と前記リード線の一部を収納するケースとを備え、前記ケー
スは一面が開口する箱型に形成された第１及び第２のケースを互いの開口面同士を突き
合わせる形で結合され、且つ一面より前記リード線が導出されてなり、第１のケースは
、発光素子からの光を透過する光透過部と、プリント配線基板の周縁を支持する第１の
支持部を備え、第２のケースは、第１のケースと結合させたときに、第１の支持部と相
俟ってプリント配線基板の周縁を支持する第２の支持部と、発光部と第２のケースに囲
まれる空間を封止するためのシール剤が注入される開口部とを備え、前記開口部は第２
のケースにおける前記リード線が導出される面以外の面に設けられることを特徴とする
。
【０００７】
この発明によれば、ケース内を封止するためのシール剤を注入する開口部は、第２の
ケースにおけるリード線が導出される面以外の面に設けられているので、前記開口部を
従来のシール剤を注入する口より比較的大きくすることが可能であり、且つリード線が
邪魔になることもないので、シール剤を注入し易いことから、組立作業性に優れ、且つ
防水性を兼ね備えた発光装置を提供することができる。
【０００８】
請求項２の発明は、請求項１の発明において、第１の支持部または第２の支持部の少
なくともいずれか一方は、プリント配線基板の周縁に全周に亘って載置して支持する段
部として形成されていることを特徴とする。
【０００９】
この発明によれば、第１の支持部または第２の支持部の少なくともいずれか一方は、
プリント配線基板の周縁に全周に亘って載置して支持するので、第２のケースの開口部
より注入したシール剤が、発光部の発光素子が実装されている面側に回り込むことを防
ぐことができる。そのため、光透過性を持つシール剤に限定する必要が無く、自由にシ
ール剤の種類を選択することができ、コストを比較的安価に抑えることが可能となる。
【００１０】
請求項３の発明は、請求項１または２の発明において、第１のケースは光透過性材料
から形成されていることを特徴とする。
【００１１】
この発明によれば、第１のケースに対して、二色成形などで光透過部を設ける必要が
無く、コストを比較的安価に抑えることが可能となる。
【発明の効果】
【００１２】
本発明では、防水性を備えた発光装置の組立性を向上させ、且つコストを比較的安価
に抑えることが可能になるという効果がある。  
【発明を実施するための最良の形態】
【００１３】
以下、本発明の実施形態について図１〜７を参照して説明する。尚、以下の説明では
、図２において上下左右前後方向を規定している。
【００１４】
本実施形態の発光装置は、ＬＥＤ５からなる発光素子とＬＥＤ５を点灯させる電子部
品２２が実装されたプリント配線基板２４からなる発光部４と、ＬＥＤ５に電力を供給
するためのリード線６と、発光部４とリード線６の一部を収納する第１のケース１と第
２のケース２を備えている。
【００１５】
ＬＥＤ５はランド及び導体パターンが印刷されたプリント配線基板２４の下面のラン
ド上に、半田接合することで実装されている。また、２本のリード線６は、その一端の
絶縁被服が剥されて露出した導体６ａがプリント配線基板２４の上面に形成されている
ランド上に半田接合され、他端は外部電源等に接続されている（図６参照）。
【００１６】
第１のケース１は、図２及び図７に示すように、ＬＥＤ５からの照射を遮ることがな
いよう透明な合成樹脂材料（例えば、アクリル樹脂）により、上面が開口する矩形の箱
型に形成され、後壁部４０、左右の側壁部４１、前壁部４２及び底壁部４３から構成さ
れている。
【００１７】
後壁部４０は、図２及び図７（ｄ）に示すように、左右の側壁部４１の高さより低く
、左右の幅は左右の側壁部４１間の厚幅を含めた間隔より短く形成され、上部に前後方
向に対して半円筒形の２箇所のリード線下受部２０が設けられている。また、上部の両
端に曲部３０が設けられ、曲部３０から下方に亘って脚片溝２９が形成され、脚片溝２
９の最下部には互いに内向きに凹んだ係合部１０が形成されている。
【００１８】
左右の側壁部４１は、図２及び図７（ｂ）に示すように、上部の前端には段部が形成
され、上部のみ前後方向の長さが短く設けられている。
【００１９】
前壁部４２は、図７（ｂ）及び（ｅ）に示すように、下部には左右両端に亘って凹ん
だ係合部１１が形成され、上部には上辺に曲部３１を備える矩形の差込片３３が形成さ
れている。
【００２０】
底壁部４３は、図２、図７（ａ）及び（ｃ）に示すように、第１のケース１の内側下
方の全周に亘って段部となる基板受部７が形成されている。基板受部７はプリント配線
基板２４を載置するとき、プリント配線基板２４の下面に実装されているＬＥＤ５及び
電子部品２２が底壁部４３に接触しない程度の高さの段部にする必要がある。
【００２１】
第２のケース２は、図２及び図５に示すように、合成樹脂材料により、矩形板状の上
壁部５０、２本の脚部５１及び前壁部５２から構成されている。尚、第２のケース２は
第１のケース１のように透明な合成樹脂材料である必要は無い。
【００２２】
上壁部５０の後部左右の両端には下方へ伸びる角柱状の脚部５１が形成され、脚部５
１は脚片２７と、脚片２７の先端に左右方向に対して互いに内向きに突設されている係
合爪８とが備えられている。
【００２３】
上壁部５０の前部には下方へ伸びる凸形の前壁部５２が形成され、前壁部５２は上部
に差込口３４、中央下部に脚片２８及び後向きに突設されている係合爪９が備えられて
いる。更に、上壁部５０の前部には、図５（ｂ）に示すように、前壁部５２とは別に内
側に矩形の基板支部２６が設けられている。
【００２４】
上壁部５０の後部には、図２及び図５（ｅ）に示すように、第１のケース１のリード
線下受部２０と相俟ってリード線６の一部を支持する半円筒形の２箇所のリード線上受
部２１が形成され、上壁部５０の左右両端には、図２及び図５（ａ）に示すように、下
方に伸びる矩形状の基板支部２５と、第１のケース１の左右の側壁部４１と等しい厚幅
の側面溝３２とが設けられている。
【００２５】
そして、上壁部５０中央には、図２、図５（ａ）及び（ｃ）に示すように、シール剤
を注入する矩形の開口部２３が設けられている。
【００２６】
上述の様に構成される本実施形態の発光装置は、以下の手順で組立てられる。先ず、
ＬＥＤ５及び電子部品２２を実装した発光部４を、ＬＥＤ５実装面が第１のケース１側
に向くように基板受部７に載せる。次に、第２のケース２を上から被せる。このとき、
第２のケース２の２箇所の係合爪８は、相対応する第１のケース１の曲部３０より脚片
溝２９に沿って押し下げられ、脚片２７が弾性変形により左右方向に対して外側へ撓み
ながら、係合爪８が弾性復元力により係合部１０に係合し、脚片２７が脚片溝２９に当
接される。同じく、第２のケース２の係合爪９は、相対応する第１のケース１の曲部３
１より差込片３３の前面に沿って押し下げられ、脚片２８が弾性変形により前方向へ撓
みながら、係合爪９が弾性復元力により係合部１１に係合する。第１のケース１の左右
の側壁部４１の上部は、第２のケース２の側面溝３２に嵌合し、第１のケース１の差込
片３３は、第２のケース２の基板支部２６と、第２のケース２の前壁部５２との間より
挿入され、第２のケース２の差込口３４に嵌合する（図４参照）。基板支部２５及び基
板支部２６は第１のケース１より内側でプリント配線基板２４の上面の左右及び前方縁
３箇所を支持する。リード線下受部２０とリード線上受部２１は、図３（ｅ）に示すよ
うに、２個の孔を形成し、前記孔から２本のリード線６が導出される。前記孔の内径は
リード線６の外径より若干小さく設計することが望ましい。そして、第２のケース２の
上壁部５０の開口部２３からシール剤を注入することにより、シール部３が発光部４の
上面と第２のケース２に囲まれる空間を封止する（図４参照）。第１のケース１の基板
受部７は発光部４の周縁の全周に亘って載置しているので、シール部３がＬＥＤ５の実
装側空間に回り込むことがない。因ってシール剤の種類の制限は無く、光透過性を持つ
シール剤に限定する必要もない。尚、シール部３は開口部２３に注入されたシール剤が
固化した状態の部材である。  
【００２７】
以上説明した本実施形態の発光装置は、シール剤を注入する際に、リード線が邪魔に
なることがなく、部品形状を考慮すると比較的大きな開口部より第１のケース１内を封
止するためのシール剤を注入することが可能なため、作業性の向上が図れ、コストを比
較的安価に抑えることができる。
【図面の簡単な説明】
【００２８】
【図１】本発明の一実施例の斜視図である。
【図２】本発明の一実施例の分解図である。
【図３】本発明の一実施例の平面図で、（ａ）は正面図、（ｂ）は上面図、（ｃ）は背面図、（ｄ）は左側面図、（ｅ）は右側面図である。
【図４】本発明の一実施例の斜視断面図である。
【図５】本発明の一実施例の第２のケース２の平面図で、（ａ）は正面図、（ｂ）は上面図、（ｃ）は背面図、（ｄ）は左側面図、（ｅ）は右側面図である。
【図６】本発明の一実施例の発光部４の平面図で、（ａ）は正面図、（ｂ）は上面図、（ｃ）は背面図である。
【図７】本発明の一実施例の第１のケース１の平面図で、（ａ）は正面図、（ｂ）は上面図、（ｃ）は背面図、（ｄ）は左側面図、（ｅ）は右側面図である。
【図８】従来の発光装置の一例を示す図で、（ａ）は斜視図、（ｂ）は分解斜視図である。
【符号の説明】
【００２９】
１  第１のケース
２  第２のケース
３  シール部
４  発光部
６  リード線
２３  開口部
【図１】
2009224412.tif 000003
【図２】
2009224412.tif 000004
【図３】
2009224412.tif 000005
【図４】
2009224412.tif 000006
【図５】
2009224412.tif 000007
【図６】
2009224412.tif 000008
【図７】
2009224412.tif 000009
【図８】
2009224412.tif 000010